【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
撮像部の手振れによる振動量を手振れ信号として検出する手振れ検出手段を備えた撮像装置であって、
前記手振れ検出手段で検出した手振れ信号に基づいて前記画像信号を補正するための手振れ補正量を算出する手振れ補正量算出手段と、
前記手振れ補正量算出手段で算出される手振れ補正量の中から、手振れ補正量の最大値を検出する最大補正量検出手段と、
前記最大補正量検出手段で検出した手振れ補正量の最大値と前記撮像部の撮像素子によって撮像可能な画像サイズである有効画像サイズに基づき、手振れ補正した所定範囲の画像信号を抽出するための実効画像サイズを算出する画像サイズ算出手段と、
前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、
前記余剰サイズ算出手段で算出した余剰サイズに応じて前記手振れ補正量算出手段で算出した手振れ補正量を調整するための係数値を算出する調整係数値算出手段と、
前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、
前記補正ベクトル算出手段で算出した補正ベクトル・データに基づいて前記撮像部で撮影した画像信号を補正する画像信号補正手段と、
を具備していることを特徴とする撮像装置。
【請求項２】
撮像部の手振れによる振動量を手振れ信号として検出する手振れ検出手段を備えた撮像装置であって、
前記手振れ検出手段で検出した手振れ信号に基づいて前記画像信号を補正するための手振れ補正量を算出する手振れ補正量算出手段と、
前記手振れ補正量算出手段で算出される手振れ補正量の中から、手振れ補正量の最大値を検出する最大補正量検出手段と、
前記最大補正量検出手段で検出した手振れ補正量の最大値と前記撮像部の撮像素子によって撮像可能な画像サイズである有効画像サイズに基づき、手振れ補正した所定範囲の画像信号を抽出するための実効画像サイズを算出する画像サイズ算出手段と、
前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、
前記余剰サイズ算出手段で算出した余剰サイズに応じて前記手振れ補正量算出手段で算出した手振れ補正量を調整するための係数値を算出する調整係数値算出手段と、
前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、
前記補正ベクトル算出手段で算出した補正ベクトル・データに基づいて前記撮像部で撮影した画像信号を補正する画像信号補正手段と、
前記画像サイズ算出手段で算出した実効画像サイズと前記画像信号を記録媒体や記録装置に記録するときの記録画像サイズに基づき、前記画像信号補正手段で補正した画像信号の解像度を変換するための変換係数を算出する変換係数算出手段と、
前記変換係数算出手段で算出した変換係数に基づいて、前記画像信号補正手段で補正した画像信号の解像度を変換して出力する画像出力手段と、
を具備していることを特徴とする撮像装置。
【請求項３】
撮像部の手振れによる振動量を手振れ信号として検出する手振れ検出手段を備えた撮像装置であって、
前記手振れ検出手段で検出した手振れ信号に基づいて前記画像信号の手振れを補正するための手振れ補正量を算出する手振れ補正量算出手段と、
前記撮像部が有している撮像レンズの焦点距離情報を検出する焦点距離検出部と、
前記焦点距離検出部で検出した撮像レンズの焦点距離情報と前記撮像部の撮像素子によって撮像可能な画像サイズである有効画像サイズに基づき、手振れ補正した所定範囲の画像信号を抽出するための実効画像サイズを算出する画像サイズ算出手段と、
前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、
前記余剰サイズ算出手段で算出した余剰サイズに応じて前記手振れ補正量算出手段で算出した手振れ補正量を調整するための係数値を算出する調整係数値算出手段と、
前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、
前記補正ベクトル算出手段で算出した補正ベクトル・データに基づいて前記撮像部で撮影した画像信号を補正する画像信号補正手段と、
を具備していることを特徴とする撮像装置。
【請求項４】
撮像部の手振れによる振動量を手振れ信号として検出する手振れ検出手段を備えた撮像装置であって、
前記手振れ検出手段で検出した手振れ信号に基づいて前記画像信号の手振れを補正するための手振れ補正量を算出する手振れ補正量算出手段と、
前記撮像部が有している撮像レンズの焦点距離情報を検出する焦点距離検出部と、
前記焦点距離検出部で検出した撮像レンズの焦点距離情報と前記撮像部の撮像素子によって撮像可能な画像サイズである有効画像サイズに基づき、手振れ補正した所定範囲の画像信号を抽出するための実効画像サイズを算出する画像サイズ算出手段と、
前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、
前記余剰サイズ算出手段で算出した余剰サイズに応じて前記手振れ補正量算出手段で算出した手振れ補正量を調整するための係数値を算出する調整係数値算出手段と、
前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、
前記補正ベクトル算出手段で算出した補正ベクトル・データに基づいて前記撮像部で撮影した画像信号を補正する画像信号補正手段と、
前記画像サイズ算出手段で算出した実効画像サイズと前記画像信号を記録媒体や記録装置に記録するときの記録画像サイズに基づき、前記画像信号補正手段で補正した画像信号の解像度を変換するための変換係数を算出する変換係数算出手段と、
前記変換係数算出手段で算出した変換係数に基づいて、前記画像信号補正手段で補正した画像信号の解像度を変換して出力する画像出力手段と、
を具備していることを特徴とする撮像装置。
【請求項５】
撮像部の手振れによる振動量を手振れ信号として検出する手振れ検出手段を備えた撮像装置であって、
前記手振れ検出手段で検出した手振れ信号に基づいて前記画像信号を補正するための手振れ補正量を算出する手振れ補正量算出ステップ、
前記手振れ補正量算出ステップで算出される手振れ補正量の中から、手振れ補正量の最大値を検出する最大補正量検出ステップ、
前記最大補正量検出ステップで検出した手振れ補正量の最大値と前記撮像部の撮像素子によって撮像可能な画像サイズである有効画像サイズに基づき、手振れ補正した所定範囲の画像信号を抽出するための実効画像サイズを算出する画像サイズ算出ステップ、
前記手振れ補正量算出ステップで算出した手振れ補正量及び前記有効画像サイズ及び前記画像サイズ算出ステップで算出した実効画像サイズに基づき、手振れ補正する範囲における余剰サイズを算出する余剰サイズ算出ステップ、
前記余剰サイズ算出ステップで算出した余剰サイズに応じて前記手振れ補正量算出ステップで算出した手振れ補正量を調整するための係数値を算出する調整係数値算出ステップ、
前記調整係数値算出ステップで算出した係数値と前記手振れ補正量算出ステップで算出した手振れ補正量に基づき、前記撮像部で撮影した画像信号を補正するための補正ベクトル・データを算出する補正ベクトル算出ステップ、
前記補正ベクトル算出ステップで算出した補正ベクトル・データに基づいて前記撮像部で撮影した画像信号を補正する画像信号補正ステップ、
からなる撮像方法。
【手続補正２】
【補正対象書類名】明細書
【補正対象項目名】発明の名称
【補正方法】変更
【補正の内容】
【発明の名称】撮像装置及び撮像方法
【手続補正３】
【補正対象書類名】明細書
【補正対象項目名】０００８
【補正方法】変更
【補正の内容】
【０００８】
（１）撮像部の手振れによる振動量を手振れ信号として検出する手振れ検出手段を備えた撮像装置であって、前記手振れ検出手段で検出した手振れ信号に基づいて前記画像信号を補正するための手振れ補正量を算出する手振れ補正量算出手段と、前記手振れ補正量算出手段で算出される手振れ補正量の中から、手振れ補正量の最大値を検出する最大補正量検出手段と、前記最大補正量検出手段で検出した手振れ補正量の最大値と前記撮像部の撮像素子によって撮像可能な画像サイズである有効画像サイズに基づき、手振れ補正した所定範囲の画像信号を抽出するための実効画像サイズを算出する画像サイズ算出手段と、前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、前記余剰サイズ算出手段で算出した余剰サイズに応じて前記手振れ補正量算出手段で算出した手振れ補正量を調整するための係数値を算出する調整係数値算出手段と、前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、前記補正ベクトル算出手段で算出した補正ベクトル・データに基づいて前記撮像部で撮影した画像信号を補正する画像信号補正手段と、を具備していることを特徴とする撮像装置。
（２）撮像部の手振れによる振動量を手振れ信号として検出する手振れ検出手段を備えた撮像装置であって、前記手振れ検出手段で検出した手振れ信号に基づいて前記画像信号を補正するための手振れ補正量を算出する手振れ補正量算出手段と、前記手振れ補正量算出手段で算出される手振れ補正量の中から、手振れ補正量の最大値を検出する最大補正量検出手段と、前記最大補正量検出手段で検出した手振れ補正量の最大値と前記撮像部の撮像素子によって撮像可能な画像サイズである有効画像サイズに基づき、手振れ補正した所定範囲の画像信号を抽出するための実効画像サイズを算出する画像サイズ算出手段と、前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、前記余剰サイズ算出手段で算出した余剰サイズに応じて前記手振れ補正量算出手段で算出した手振れ補正量を調整するための係数値を算出する調整係数値算出手段と、前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、前記補正ベクトル算出手段で算出した補正ベクトル・データに基づいて前記撮像部で撮影した画像信号を補正する画像信号補正手段と、前記画像サイズ算出手段で算出した実効画像サイズと前記画像信号を記録媒体や記録装置に記録するときの記録画像サイズに基づき、前記画像信号補正手段で補正した画像信号の解像度を変換するための変換係数を算出する変換係数算出手段と、前記変換係数算出手段で算出した変換係数に基づいて、前記画像信号補正手段で補正した画像信号の解像度を変換して出力する画像出力手段と、を具備していることを特徴とする撮像装置。
【手続補正４】
【補正対象書類名】明細書
【補正対象項目名】０００９
【補正方法】変更
【補正の内容】
【０００９】
（３）撮像部の手振れによる振動量を手振れ信号として検出する手振れ検出手段を備えた撮像装置であって、前記手振れ検出手段で検出した手振れ信号に基づいて前記画像信号の手振れを補正するための手振れ補正量を算出する手振れ補正量算出手段と、前記撮像部が有している撮像レンズの焦点距離情報を検出する焦点距離検出部と、前記焦点距離検出部で検出した撮像レンズの焦点距離情報と前記撮像部の撮像素子によって撮像可能な画像サイズである有効画像サイズに基づき、手振れ補正した所定範囲の画像信号を抽出するための実効画像サイズを算出する画像サイズ算出手段と、前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、前記余剰サイズ算出手段で算出した余剰サイズに応じて前記手振れ補正量算出手段で算出した手振れ補正量を調整するための係数値を算出する調整係数値算出手段と、前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、前記補正ベクトル算出手段で算出した補正ベクトル・データに基づいて前記撮像部で撮影した画像信号を補正する画像信号補正手段と、を具備していることを特徴とする撮像装置。
（４）撮像部の手振れによる振動量を手振れ信号として検出する手振れ検出手段を備えた撮像装置であって、前記手振れ検出手段で検出した手振れ信号に基づいて前記画像信号の手振れを補正するための手振れ補正量を算出する手振れ補正量算出手段と、前記撮像部が有している撮像レンズの焦点距離情報を検出する焦点距離検出部と、前記焦点距離検出部で検出した撮像レンズの焦点距離情報と前記撮像部の撮像素子によって撮像可能な画像サイズである有効画像サイズに基づき、手振れ補正した所定範囲の画像信号を抽出するための実効画像サイズを算出する画像サイズ算出手段と、前記手振れ補正量算出手段で算出した手振れ補正量及び前記有効画像サイズ及び前記画像サイズ算出手段で算出した実効画像サイズに基づき、手振れ補正する範囲における余剰サイズを算出する余剰サイズ算出手段と、前記余剰サイズ算出手段で算出した余剰サイズに応じて前記手振れ補正量算出手段で算出した手振れ補正量を調整するための係数値を算出する調整係数算出手段と、前記調整係数値算出手段で算出した係数値と前記手振れ補正量算出手段で算出した手振れ補正量に基づき、前記撮像部で撮影した画像信号を補正するための補正ベクトル・データを算出する補正ベクトル算出手段と、前記補正ベクトル算出手段で算出した補正ベクトル・データに基づいて前記撮像部で撮影した画像信号を補正する画像信号補正手段と、前記画像サイズ算出手段で算出した実効画像サイズと前記画像信号を記録媒体や記録装置に記録するときの記録画像サイズに基づき、前記画像信号補正手段で補正した画像信号の解像度を変換するための変換係数を算出する変換係数算出手段と、前記変換係数算出手段で算出した変換係数に基づいて、前記画像信号補正手段で補正した画像信号の解像度を変換して出力する画像出力手段と、を具備していることを特徴とする撮像装置。
（５）撮像部の手振れによる振動量を手振れ信号として検出する手振れ検出手段を備えた撮像装置であって、前記手振れ検出手段で検出した手振れ信号に基づいて前記画像信号を補正するための手振れ補正量を算出する手振れ補正量算出ステップ、前記手振れ補正量算出ステップで算出される手振れ補正量の中から、手振れ補正量の最大値を検出する最大補正量検出ステップ、前記最大補正量検出ステップで検出した手振れ補正量の最大値と前記撮像部の撮像素子によって撮像可能な画像サイズである有効画像サイズに基づき、手振れ補正した所定範囲の画像信号を抽出するための実効画像サイズを算出する画像サイズ算出ステップ、前記手振れ補正量算出ステップで算出した手振れ補正量及び前記有効画像サイズ及び前記画像サイズ算出手段で算出した実効画像サイズに基づき、手振れ補正する範囲における余剰サイズを算出する余剰サイズ算出ステップ、前記余剰サイズ算出ステップで算出した余剰サイズに応じて前記手振れ補正量算出ステップで算出した手振れ補正量を調整するための係数値を算出する調整係数値算出ステップ、前記調整係数値算出ステップで算出した係数値と前記手振れ補正量算出ステップで算出した手振れ補正量に基づき、前記撮像部で撮影した画像信号を補正するための補正ベクトル・データを算出する補正ベクトル算出ステップ、前記補正ベクトル算出ステップで算出した補正ベクトル・データに基づいて前記撮像部で撮影した画像信号を補正する画像信号補正ステップ、からなる撮像方法。
【手続補正５】
【補正対象書類名】明細書
【補正対象項目名】００１８
【補正方法】変更
【補正の内容】
【００１８】
次に、本発明の撮像装置及び撮像方法による実施の形態について図面を参照して説明する。但し、図面は専ら解説のためのものであって、本発明の技術的範囲を限定するものではない。